(57)【要約】 【課題】  遊技の興趣を盛り上げることができる遊技機の球通路を提供する。【解決手段】  偏光フィルムを捲回して光の透過軸が直交する短筒体１１を複数形成する。そして、透過軸が直交する短筒体１１を交互に直列に隣接配置して球通路３を構成する。短筒体１１同士の隣接部１２に、光の透過が不可能な暗黒色の遮光部１３を出現させることができる。この遮光部１３はあたかも球通路３を水平に遮断する栓のごとく遊技者には視認されるにもかかわらず、球はその栓を通過する。短筒体１１を角型管状のものとして、上下２段に重ねることもできる。【選択図】    図２
2006034769.tif 000002
【特許請求の範囲】
【請求項１】
球通路の側面に、透過軸の直交する偏光フィルムを隣接させて配置して、偏光フィルムの隣接部に、光の透過が遮られる遮光部が視認されるようにしたことを特徴とする遊技機の球通路。
【請求項２】
透過軸が直交する偏光フィルムにより構成された短筒体を、隣接させて構成したことを特徴とする遊技機の球通路。
【請求項３】
偏光フィルムの隣接部に、球の通過を差止め可能なストッパーを設けたことを特徴とする請求項１又は２に記載の遊技機の球通路。
【請求項４】
玉通路を、偏光フィルムの隣接部にて分割可能としたことを特徴とする請求項１又は２に記載の遊技機の球通路。
【請求項５】
球通路を、傾動自在としたことを特徴とする請求項１又は２に記載の遊技機の球通路。
【発明の詳細な説明】
【技術分野】
【０００１】
本発明は、遊技機の変動図柄表示画面前のステージなどに球を送り込むための遊技機の球通路に関するものである。
【背景技術】
【０００２】
遊技機であるパチンコ機の遊技盤には、通常図柄変動表示装置を備えたセンター役物が配設されている。図柄変動表示装置は、例えば特許文献１に示されているような構造のものであって、本図１０に引用して示す当該図柄変動表示装置は、液晶画面ｂとこの液晶画面ｂを取り囲むように設けられた遊技球誘導枠体５１とからなる。この遊技球誘導枠体５１の取付板５２の中央部にはやや横長の矩形穴５３が形成され、この矩形穴５３から液晶画面ｂが前方に臨んで設けられている。取付板２の左側上方には遊技球が入ることができる入口穴５６が形成され、その下方には遊技球の出口穴５７が形成されて、これらの穴５６、５７は球通路５８により連通されている。取付板５２の下部には中央が低い円弧状のステージ６０が設けられ、このステージ６０は、透明材料からなる仕切り板６１によって前部６０ａと後部６０ｂに区画されている。仕切り板６１は、上面に遊技球を転動させるための凹溝６２が形成され、その凹溝６２の前縁及び後縁には多数の切欠部６３が形成されているので、仕切り板６１上端を転動する遊技球をステージ６０の前部側又は後部側に落下させることができる。
【０００３】
以上のように構成されたものは、入口穴５６に入った遊技球は球通路５８を通ってステージ６０に案内され、仕切り板６１上をゆっくりと転動し勢いが弱まったころにステージの前部６０ａ又は後部６０ｂの何れかに落ちる。このようにステージ１０上における球の滞留時間、流動方向に変化を付けることによって、遊技の興趣を盛り上げることができる。
【０００４】
しかしながら、上記した図柄変動表示装置においては、球通路５８には何らの障害物も存在せず、入口穴５６に入った球が出口穴５７から排出されるまでの時間がほぼ一定であって変動性に欠ける。また、球通路５８は不透明材料で構成されているので流下する球の状態を遊技者は視認することができず、従って、玉通路５８は遊技の興趣を盛り上げる効果には何ら寄与していない。
【特許文献１】特開２００２−１５９６５９号公報  (図５)
【発明の開示】
【発明が解決しようとする課題】
【０００５】
本発明は上記した従来の問題点を解決して、遊技の興趣を盛り上げることができる遊技機の球通路を提供するためになされたものである。
【課題を解決するための手段】
【０００６】
上記の課題を解決するためになされた本発明の遊技機の球通路は、球通路の側面に、透過軸の直交する偏光フィルムを隣接させて配置して、偏光フィルムの隣接部に、光の透過が遮られる遮光部が視認されるようにしたことを特徴とするものであり、また、透過軸が直交する偏光フィルムにより構成された短筒体を、隣接させて構成したことを特徴とするものである。なお、上記した玉通路において、偏光フィルムの隣接部に、球の通過を差止め可能なストッパーを設けることができ、また、玉通路を、偏光フィルムの隣接部にて分割可能とすることができ、さらに、球通路を傾動自在とすることができる。
【発明の効果】
【０００７】
本発明の遊技機の球通路は、球通路の側面を周回して透過軸の直交する偏光フィルムを交互に隣接、配置したので、偏光フィルム同士の隣接部に、光の透過が不可能な暗黒色の遮光部を出現させることができる。この遮光部はあたかも球通路を水平に遮断する板状の栓のごとく遊技者には視認されるにもかかわらず遊技球が通過するので、遊技者の好奇心を引き付けて遊技の興趣を盛り上げることができる。また、透過軸が直交する偏光フィルムにより構成された短筒体を隣接させることによっても、上記と同じ効果を得ることができる。
【０００８】
また、隣接部に水平板や電磁石などの球を停止可能なストッパーを設けることによって、遮光部が視認される状態で球の流下を遅延させたり停止させたりして遊技者に不可解な遊技球の流下状況を演出することができる。また、隣接された偏光フィルムを、相互に引き離した場合には遮光部を消滅させ、接近させた場合には遮光部を出現させることができる。さらに、以上のような球通路を傾動することによっても遮光部を消滅させたり、出現させたりすることができる。
【発明を実施するための最良の形態】
【０００９】
以下に図面を参照しつつ本発明の好ましい実施形態を説明する。
図１は、図柄変動表示装置を示す正面図であって、１は液晶画面などの図柄表示画面、２は遊技球誘導枠体の前面に設けられた取付板であり、３は本発明に係る球通路である。
この図柄変動表示装置においても、取付板２の中央部にはやや横長の矩形穴４が形成され、この矩形穴４から図柄表示画面１が前方に臨んでいる。球通路３は取付板２の左側に配設され、その上部に設けられた球入口５と下部に設けられた球出口６とを連通している。取付板２の下部には浅い凹状のステージ７が設けられ、球通路３を経てステージ７上に流入された球はステージ７上を左右に揺動しつつ前方に落下する。ステージ７の前方下部には、図示していない入賞口が設けられており、入賞口に球が入賞したときに大当たり発生の権利を取得したりすることができる。
【００１０】
前記図柄変動表示装置において、取付板２は少なくとも球通路３を覆う部分が透明であって、球通路３を視認可能としている。この球通路３は、図２に示すような構造のものであって、偏光フィルムを管状に捲回して形成された複数の短筒体１１が、直列に隣接して接着材などにより接合されて構成されたものである。そして、短筒体１１を構成する偏光フィルムの透過軸は交互に直交させてある。
【００１１】
ここで偏光フィルム(偏光板)について説明する。偏光フィルムは自然光を直線偏光に変える素子である。光は進行方向に垂直な面で振動する電磁波であり、自然光は電磁波の方向が一定でなく、すべての方向の振動を含んでいる。自然光が偏光フィルムを通過すると、偏光フィルムが光の振動を通過させる軸(透過軸)に平行な方向の振動は通過するが、透過軸に垂直な方向の光は吸収されて通過できないので、一定方向にのみ振動する光である直線偏光が得られる。そして、この直線偏光の進行方向に偏光フィルムを置いた場合には，偏光フィルムの透過軸と直線偏光の振動方向が平行なときには光はほとんど通過するが、振動方向と透過軸が垂直のときはほとんど吸収されてしまう。従って、二枚の偏光フィルムの透過軸を直交させて配置した場合には、光は透過することができない。
【００１２】
本発明の球通路は、既記したように短筒体１１を構成する偏光フィルムは、透過軸を交互に直交させてある。従って、図３に示すように、一方から見た場合に短筒体１１の隣接部１２の上方Ａ−Ｂ部を通過した直線偏光は、透過軸が直交配置された短筒体１１のＣ−Ｄ部によって遮断され通過することはできない。その結果Ｃ−Ｄ間には黒い壁状の遮光部１３が視認され、この遮光部１３はちょうど接続部１２に板状の栓を施したように見える。図２のように、短筒体１１を複数連ねることによって球通路３に複数の遮光部１３を形成することができる。しかし、遊技者は球通路３が塞がれていると錯覚しているので、流入した遊技球が球通路３を通過する現象を理解するまでに時間を要したり、或いは理解することができない不思議な現象を体験することとなる。  
【００１３】
以上のようにして構成した球通路３の接続部１２に隙間を形成して、図４に示すように板状のストッパー１４を出入りさせることによって、遊技球の通過と停止を操作することができる。或いは、ストッパー１４として電磁石を用い、この電磁石を適宜通電させることによっても遊技球の通過と停止を操作することができる。そこで、これらのストッパー１４を遊技者には視認されにくいように装飾物の後ろに配置するなどすれば、遊技者はいよいよ不思議な現象を目にすることになる。
【００１４】
さらに、図５に示すように短筒体１１の一部を引き離して傾斜させたり、或いは図６に示すように球通路３全体を傾斜させたりすることによって、光が直交する２枚の偏光フィルムを通過する部分がなくなって、その結果遮光部１３は消滅させられる。それらを元の状態に戻せば再び遮光部１３を出現させることができる。このようにして、球通路３の視認状態に変化をつけることもできる。
【００１５】
なお、本発明の球通路３は、図７に示すように、長尺の透明パイプ８を基体とし、この基体の側面を周回して透過軸の直交する偏光フィルム９、９を交互に隣接して貼り付けることによっても構成することができる。また、本発明の球通路３は、図８、９に示すように短筒体１１を角型管状のものとすることができる。図８に示す球通路３は、横方向に球が流れるようにしたものであるが、このように球通路３を角型のものとしても偏光フィルム９、９の隣接部１２に遮光部１３を出現させることができる。そして、球通路３の底面や背面に球抜き孔１５を設けることによって、球の流下方向に変化を付けることができる。また、図９に示す球通路３は、透過軸が直交する偏光フィルム９、９によって形成された二つの球通路３が、横向きに上下二段に重ねられたものであって、その隣接部１２に遮光部１３を出現させることができる。この場合にも球通路３の底面や背面に球抜き孔１５を設けることによって、球の流下方向に変化を付けることができる。なお、偏光フィルム９を、球通路３の側面の所要の２面にのみ透過軸を直交させて貼着することによっても、遮光部１３を出現させることができる。
【００１６】
以上説明したように、本発明の遊技機の球通路は、球通路の側面に透過軸が直交する偏光フィルムを隣接させて配置したので、球通路に板状の遮光部を出現させることができる。従って、板があるにもかかわらず球が通過するという不思議な現象を感じさせて遊技者の遊技への関心を惹きつけることができるという大きな利点がある。
【図面の簡単な説明】
【００１７】
【図１】本発明に係る玉通路を備えた図柄変動表示装置の正面図である。
【図２】球通路の斜視図である。
【図３】遮光部が形成される状態の説明図である。
【図４】遮光部にストッパーを装着する状態を示す斜視図である。
【図５】引き離された短筒体を示す斜視図である。
【図６】遮光部の出現した状態と消滅した状態とを示す斜視図である。
【図７】透明パイプに偏光フィルムを貼着して構成される玉通路の斜視図である。
【図８】横向きで角型の球通路を示す斜視図である。
【図９】上下２段に重ねた球通路の斜視図である。
【図１０】図柄変動表示装置の一例を示す斜視図である。
【符号の説明】
【００１８】
１  図柄表示画面
２  取付板
３  球通路
４  矩形穴
５  球入口
６  球出口
７  ステージ
８  透明パイプ
９  偏光フィルム
１１  短筒体
１２  短筒体の隣接部
１３  遮光部
１４  ストッパー
１５  球抜き孔
【図１】
2006034769.tif 000003
【図２】
2006034769.tif 000004
【図３】
2006034769.tif 000005
【図４】
2006034769.tif 000006
【図５】
2006034769.tif 000007
【図６】
2006034769.tif 000008
【図７】
2006034769.tif 000009
【図８】
2006034769.tif 000010
【図９】
2006034769.tif 000011
【図１０】
2006034769.tif 000012